(57)【要約】【課題】  ポストと横ビームを組み合わせて空間を演出するゾーニング什器等の横ビームを交差する配線コードを隠蔽して外観性を高めることが可能な横ビームの配線カバー装置を提供する。【解決手段】  横ビーム２の少なくとも表裏一側面に、上下方向を向く支持金具３を保持するとともに、該支持金具の外側に該支持金具を覆うようにカバー４を取付け、該カバーは支持金具の横幅よりも横幅が大きく、横ビームの上下幅よりも上下寸法が大きな表面板１０と表面板の両側から横ビームに向けて折曲した側面板１１，１１とを備え、支持金具とカバーの両側面板の間に上下方向に連通した配線空間Ｓを設けた。【選択図】        図１
2013121295.tif 000002
【特許請求の範囲】
【請求項１】
ポストと横ビームを組み合わせて空間を演出するゾーニング什器等の横ビームの少なくとも表裏一側面に、上下方向を向く支持金具を保持するとともに、該支持金具の外側に該支持金具を覆うようにカバーを取付け、該カバーは前記支持金具の横幅よりも横幅が大きく、前記横ビームの上下幅よりも上下寸法が大きな表面板と該表面板の両側から前記横ビームに向けて折曲した側面板とを備え、前記支持金具とカバーの両側面板の間に上下方向に連通した配線空間を設けたことを特徴とする横ビームの配線カバー装置。
【請求項２】
前記横ビームは、表裏両面の上下中間部に全長に亘り係止溝を形成するとともに、上端に上向きの立上片をそれぞれ形成し、表裏の両立上片で形成された配線用の凹溝を備えたものであり、前記係止溝と立上片を用いて前記支持金具を保持してなる請求項１記載の横ビームの配線カバー装置。
【請求項３】
前記支持金具は、前記横ビームの立上片に係止する上側係止爪と前記係止溝に係止する下側係止爪を有し、一方の係止爪が他方に対して締付ネジによる駆動によって上下変位する機構を備え、上側係止爪と下側係止爪で上下から横ビームを挟持して保持してなる請求項１又は２記載の横ビームの配線カバー装置。
【請求項４】
前記支持金具は、表側支持金具と裏側支持金具の一対用い、それぞれの支持金具に前記横ビームの立上片に係止する上側係止爪を形成し、前記表側支持金具と裏側支持金具を前記横ビームの表裏の立上片にそれぞれ係止するとともに、両支持金具の下端に連結板を連結して一体化し、両支持金具の外側にそれぞれ取付けた前記カバーの側面板に突設した係合片を前記横ビームの係止溝に嵌入して上がり止めして横ビームに保持してなる請求項１又は２記載の横ビームの配線カバー装置。
【発明の詳細な説明】
【技術分野】
【０００１】
本発明は、横ビームの配線カバー装置に係わり、更に詳しくはゾーニング什器等における横ビームの配線カバー装置に関するものである。
【背景技術】
【０００２】
従来から、ポストと横ビームを組み合わせて空間を演出するゾーニング什器は各種提供されている。ここで、前記ポストには側面に配線ダクトを設け、床面からポストを通って横ビームの上面へ配線することが多いが、横ビームの中間部、特に下方位置に電気機器がある場合には、配線コードを横ビームを横切って電気機器に配線することもある。例えば、横ビームの下方に照明器具を配置したり、プロジェクターを吊支する場合がそれに当たる。このような場合、従来は配線コードを露出させたままであったので、外観性を損なっていた。
【０００３】
例えば、特許文献１には、ポストと横ビームを組み合わせて空間を演出するゾーニング什器において、横ビームの側面にブラケットを介してプロジェクターを取付けたものが開示されている。この場合、横ビームの側面の上下部に横方向に延びた２条の係合溝が形成されており、ブラケットの基部の上下に形成した下向きフックを前記両係合溝に係止するとともに、一方の係合溝内に基部を貫通してネジの先端を挿入することにより、上がり止めをしてフックが係合溝から外れないようにして取付けている。そして、ブラケットの基部から延びた支持板にプロジェクターを保持するのである。この場合、プロジェクターは、横ビームの下側に位置し、該プロジェクターへの配線コードは横ビームを露出して横切ることになる。
【先行技術文献】
【特許文献】
【０００４】
【特許文献１】意匠登録第１３８７８５０号公報
【発明の概要】
【発明が解決しようとする課題】
【０００５】
そこで、本発明が前述の状況に鑑み、解決しようとするところは、ポストと横ビームを組み合わせて空間を演出するゾーニング什器等の横ビームを交差する配線コードを隠蔽して外観性を高めることが可能な横ビームの配線カバー装置を提供する点にある。
【課題を解決するための手段】
【０００６】
本発明は、前述の課題解決のために、ポストと横ビームを組み合わせて空間を演出するゾーニング什器等の横ビームの少なくとも表裏一側面に、上下方向を向く支持金具を保持するとともに、該支持金具の外側に該支持金具を覆うようにカバーを取付け、該カバーは前記支持金具の横幅よりも横幅が大きく、前記横ビームの上下幅よりも上下寸法が大きな表面板と該表面板の両側から前記横ビームに向けて折曲した側面板とを備え、前記支持金具とカバーの両側面板の間に上下方向に連通した配線空間を設けたことを特徴とする横ビームの配線カバー装置を構成した（請求項１）。
【０００７】
ここで、前記横ビームは、表裏両面の上下中間部に全長に亘り係止溝を形成するとともに、上端に上向きの立上片をそれぞれ形成し、表裏の両立上片で形成された配線用の凹溝を備えたものであり、前記係止溝と立上片を用いて前記支持金具を保持してなることが好ましい（請求項２）。
【０００８】
更に、前記支持金具は、前記横ビームの立上片に係止する上側係止爪と前記係止溝に係止する下側係止爪を有し、一方の係止爪が他方に対して締付ネジによる駆動によって上下変位する機構を備え、上側係止爪と下側係止爪で上下から横ビームを挟持して保持してなることが好ましい（請求項３）。
【０００９】
あるいは、前記支持金具は、表側支持金具と裏側支持金具の一対用い、それぞれの支持金具に前記横ビームの立上片に係止する上側係止爪を形成し、前記表側支持金具と裏側支持金具を前記横ビームの表裏の立上片にそれぞれ係止するとともに、両支持金具の下端に連結板を連結して一体化し、両支持金具の外側にそれぞれ取付けた前記カバーの側面板に突設した係合片を前記横ビームの係止溝に嵌入して上がり止めして横ビームに保持してなることが好ましい（請求項４）。
【発明の効果】
【００１０】
以上にしてなる請求項１に係る発明の横ビームの配線カバー装置は、ポストと横ビームを組み合わせて空間を演出するゾーニング什器等の横ビームの少なくとも表裏一側面に、上下方向を向く支持金具を保持するとともに、該支持金具の外側に該支持金具を覆うようにカバーを取付け、該カバーは前記支持金具の横幅よりも横幅が大きく、前記横ビームの上下幅よりも上下寸法が大きな表面板と該表面板の両側から前記横ビームに向けて折曲した側面板とを備え、前記支持金具とカバーの両側面板の間に上下方向に連通した配線空間を設けたので、横ビームの中間部の下方位置又は側方位置に設けた電気機器への配線コードが、横ビームを横切ってもカバーで隠蔽して外観性を高めることができる。また、中央の支持金具を仕切部材として左右に設けた配線空間にそれぞれ強電と弱電の配線コードを区画して配線することができる。
【００１１】
請求項２によれば、前記横ビームは、表裏両面の上下中間部に全長に亘り係止溝を形成するとともに、上端に上向きの立上片をそれぞれ形成し、表裏の両立上片で形成された配線用の凹溝を備えたものであり、前記係止溝と立上片を用いて前記支持金具を保持してなるので、支持金具とカバーとからなる配線カバー装置は、横ビームの任意の位置に取付けることができ、レイアウトにおける自由度が高く、また横ビームの上方開放した凹溝を利用して配線した配線コードを、カバーで覆われた配線空間に通して横ビームを横切って下方へ配線することができる。
【００１２】
請求項３によれば、前記支持金具は、前記横ビームの立上片に係止する上側係止爪と前記係止溝に係止する下側係止爪を有し、一方の係止爪が他方に対して締付ネジによる駆動によって上下変位する機構を備え、上側係止爪と下側係止爪で上下から横ビームを挟持して保持してなるので、横ビームの表裏片面の任意の位置に簡単且つ確実に取付けることができ、配線作業が非常に効率的である。
【００１３】
請求項４によれば、前記支持金具は、表側支持金具と裏側支持金具の一対用い、それぞれの支持金具に前記横ビームの立上片に係止する上側係止爪を形成し、前記表側支持金具と裏側支持金具を前記横ビームの表裏の立上片にそれぞれ係止するとともに、両支持金具の下端に連結板を連結して一体化し、両支持金具の外側にそれぞれ取付けた前記カバーの側面板に突設した係合片を前記横ビームの係止溝に嵌入して上がり止めして横ビームに保持してなるので、横ビームの表裏両面に両立上片にそれぞれ表側支持金具と裏側支持金具を係止して位置させ、その下端に連結板を連結して一体化するのでバランスが良く、連結板に重量の重いプロジェクター等の電気機器を取付けて保持することもでき、勿論、電気機器への配線コードを、表側支持金具若しくは裏側支持金具と対応するカバーの側面板との間の配線空間に通して横ビームを横切るように配線することができる。また、カバーの側面板に突設した係合片を横ビームの係止溝に嵌入して上がり止めするので、前記表側支持金具と裏側支持金具の上側係止爪が立上片から外れる恐れがなく、安定に保持することができる。
【図面の簡単な説明】
【００１４】
【図１】本発明の配線カバー装置の第１実施形態を示し、横ビームに取付けた状態の斜視図である。
【図２】第１実施形態の配線カバー装置を横ビームに取付ける状態を示した斜視図である。
【図３】同じく第１実施形態の配線カバー装置を背面側から見た斜視図である。
【図４】同じく第１実施形態の配線カバー装置を横ビームに取付けた状態の断面図である。
【図５】本発明の配線カバー装置の第２実施形態を示し、（ａ）はプロジェクターの投影方向を横ビームに直角にして取付けた場合の斜視図、（ｂ）はプロジェクターの投影方向を横ビームに平行にして取付けた場合の斜視図である。
【図６】第２実施形態の配線カバー装置を横ビームに取付けた状態の斜視図である。
【図７】表側支持金具を連結板に連結する状態を示し、（ａ）は連結前の斜視図、（ｂ）は連結後の斜視図である。
【図８】図７に対して連結板を９０度回転させた状態で表側支持金具に連結する状態を示し、（ａ）は連結前の斜視図、（ｂ）は連結後の斜視図である。
【図９】連結板を下端に連結した表側支持金具を横ビームの立上片に係止する状態を示した分解斜視図である。
【図１０】裏側支持金具を横ビームの立上片に係止するとともに、下端に連結板を連結する作業手順を示した分解斜視図である。
【図１１】裏側支持金具の下端に連結板を連結する作業手順を示した分解斜視図である。
【図１２】表側支持金具と裏側支持金具にそれぞれカバーを取付ける状態を示した分解斜視図である。
【図１３】横ビームに第２実施形態の配線カバー装置を取付ける作業手順を示し、（ａ）は図１０に相当する作業手順における断面図、（ｂ）は図１１に相当する作業手順における断面図、（ｃ）は図１２に相当する作業手順が完了した状態の断面図である。
【発明を実施するための形態】
【００１５】
次に、添付図面に示した実施形態に基づき、本発明を更に詳細に説明する。図１〜図４は、本発明の配線カバー装置の第１実施形態を示し、図５〜図１３は本発明の配線カバー装置の第２実施形態を示し、図中符号Ａは第１実施形態の配線カバー装置、Ｂは第２実施形態の配線カバー装置、１はポスト、２は横ビーム、３は支持金具、４はカバー、５は表側支持金具、６は裏側支持金具、７は連結板、８は表側のカバー、９は裏側のカバーをそれぞれ示している。
【００１６】
本発明の配線カバー装置Ａ，Ｂは、ポスト１と横ビーム２を組み合わせて空間を演出するゾーニング什器等の横ビーム２の少なくとも表裏一側面に、上下方向を向く支持金具３，５，６を保持するとともに、該支持金具３，５，６の外側に該支持金具３，５，６を覆うようにカバー４，８，９を取付け、該カバー４，８，９は前記支持金具３，５，６の横幅よりも横幅が大きく、前記横ビーム２の上下幅よりも上下寸法が大きな表面板１０と該表面板１０の両側から前記横ビーム２に向けて折曲した側面板１１，１１とを備え、前記支持金具支持金具３，５，６とカバー４，８，９の両側面板１１，１１の間に上下方向に連通した配線空間Ｓを設けたものである。この基本構成は、後述の第１実施形態と第２実施形態で共通している。
【００１７】
本実施形態で示したゾーニング什器は、少なくとも４本のポスト１，…の上端間を横ビーム２で連結して空間を演出するものであり、図１及び図５には１本のポスト１の近傍のみを示している。図示したものは、外形が断面略正方形のポスト１の隣接する二つの側面の上端部に横ビーム２，２を直交状態で連結したものである。
【００１８】
前記横ビーム２は、図４及び図１３に示すように、表裏両面の上下中間部に全長に亘り係止溝１２を形成するとともに、上端に上向きの立上片１３をそれぞれ形成し、表裏の両立上片１３，１３で形成された配線用の凹溝１４を備えたものである。前記支持金具３，５，６は、前記係止溝１２と立上片１３を用いて保持するようになっている。前記係止溝１２は、開口部１５の上下に係止縁１６，１６を対向して有し、内部空間が開口部１５の幅よりも広くなった断面略Ｃ字形の断面形状であるが、本実施形態では少なくとも開口部１５と上側の係止縁１６が存在すれば足りる。
【００１９】
以下、第１実施形態と第２実施形態に基づいて更に本発明を詳細に説明する。
【実施例１】
【００２０】
図１〜図４に示した第１実施形態の配線カバー装置Ａは、前記横ビーム２の表裏片面の任意の位置に簡単に取付けることができるものである。前記支持金具３は、前記横ビーム２の立上片１３に係止する上側係止爪１７と前記係止溝１２に係止する下側係止爪１８を有し、一方の係止爪が他方に対して締付ネジ１９による駆動によって上下変位する機構を備え、上側係止爪１７と下側係止爪１８で上下から横ビーム２を挟持して保持するものである。そして、前記カバー４は、本実施形態では前記支持金具３の外面に、表面板１０の裏面がスポット溶接等で一体的に固着されている。図２及び図３に示すように、前記支持金具３の両側面と前記カバー４の両側面板１１，１１との間には、複数の配線コードを挿通するのに十分な広さの配線空間Ｓ，Ｓが形成されている。
【００２１】
具体的には、前記支持金具３は、裏面側が開放されたボックス状の本体部２０の上片２１の先端に前記上側係止爪１７を下向きに折曲形成し、本体部２０の両側片２２，２２の間に下端部に上向きの前記下側係止爪１８を設けた断面略コ字形の可動部材２３を上下動可能に配置し、該可動部材２３の上端に移動方向に直角に受片２４を設け、前記本体部２０の上片２１に上方から挿通した前記締付ネジ１９を前記可動部材２３の受片２４に螺合した構造である。尚、本実施形態では、上方から締付ネジ１９を回転操作する構造を示したが、上下逆にして下側から締付ネジ１９を回転操作するように構成することも原理的に可能である。また、前記カバー４の両側面板１１，１１の下端部の横ビーム２に近い部分を切り欠いて、側方へ配線コードを引き出すためのコード引出し部２５を形成している。
【００２２】
そして、前記配線カバー装置Ａを前記横ビーム２に取付けるには、先ず前記支持金具３の締付ネジ１９を弛め、前記上側係止爪１７と下側係止爪１８の間隔を広げた状態で、前記上側係止爪１７を横ビーム２の立上片１３に係止した後、前記下側係止爪１８を係止溝１２の開口部１５から挿入し、それから前記締付ネジ１９を回して前記可動部材２３を上昇させて前記下側係止爪１８を前記係止溝１２の上側の係止縁１６に係止し、更に締め付けて確実に上下から挟持するのである。前記支持金具３を横ビーム２に取付けると、必然的に前記カバー４の表面板１０と側面板１１及び支持金具３の側面と横ビーム２の表面とで上下に貫通した配線空間Ｓが完成する。前記配線カバー装置Ａは、前記横ビーム２の下方位置に設けた照明器具やプロジェクターやテレビ等の電気機器に、配線コードが横ビーム２を横切るように配線する場合に使用することができる。また、前記締付ネジ１９を緩めれば、当該配線カバー装置Ａを横ビーム２に沿って簡単に移動させることができる。
【実施例２】
【００２３】
図５〜図１３に示した第２実施形態の配線カバー装置Ｂは、前記横ビーム２の表裏両面の両立上片１３，１３と両係止溝１２，１２を用いて取付け、前記横ビーム２を横切るように配線した配線コードを隠すことができるとともに、重量の重いプロジェクター等の電気機器を支持するために使用することができるものである。
【００２４】
本実施形態では、表側支持金具５と裏側支持金具６の一対用い、それぞれの支持金具５，６に前記横ビーム２の立上片１３に係止する上側係止爪２６を形成し、前記表側支持金具５と裏側支持金具６を前記横ビーム２の表裏の立上片１３，１３にそれぞれ係止するとともに、両支持金具５，６の下端に連結板７を連結して一体化し、両支持金具５，６の外側にそれぞれ取付けた前記カバー８，９の側面板１１，１１に突設した係合片２７を前記横ビーム２の係止溝１２に嵌入して上がり止めして横ビーム２に保持するものである。
【００２５】
ここで、前記連結板７の下面には、プロジェクターＰを直接ネジ止めできるようになっている。尚、前記連結板７は長方形状であり、プロジェクターＰを取付ける方向が定まっているため、前記連結板７を前記表側支持金具５と裏側支持金具６の下端に取付ける方向を９０度変更できるように、二対の取付構造を予め併設している。また、前記表側支持金具５と裏側支持金具６は、全く同一部材であり、また表側のカバー８と裏側のカバー９も同一部材であり、同一構成には同一符号を付してその説明は省略する。
【００２６】
図７及び図８に示すように、前記表側支持金具５は、断面コ字形の上下方向に延びた金属部材であり、上端の上板２８の先端を折曲して下向きの上側係止爪２６を形成し、更に上板２８には中央部に螺孔２９を形成している。また、前記表側支持金具５の下端には直角に外側（手前側）へ折曲形成した取付板３０を形成し、該取付板３０には通孔３１，３１が形成されている。一方、前記連結板７は、基板３２の周囲を上方へ折曲して補強縁３３を形成するとともに、中央部に配線コード挿通用の開口３４を形成し、該開口３４を中心に二対のスリット孔３５，３５をそれぞれ平行に形成するとともに、その外側に螺孔３６，３６を形成している。また、前記各スリット孔３５の外側には、段差を設けて挿入部３７を、該孔を拡幅して形成している。
【００２７】
そして、前記横ビーム２に配線カバー装置Ｂを取付けるには、先ず、図７に示すように、前記連結板７の一対のスリット孔３５，３５を選択して、その片方のスリット孔３５に前記表側支持金具５の取付板３０を上側面から挿入した後、表側支持金具５を連結板７に対して直角になるように起こし、前記取付板３０の通孔３１，３１に下方から挿通したネジ３８，３８を前記連結板７の螺孔３６，３６に螺合する（図７（ｂ）、図８（ｂ）、図９参照）。この状態で、前記表側支持金具５の上側係止爪２６を前記横ビーム２の表側の立上片１３に係止して仮保持する（図１０参照）。それから、前記裏側支持金具６の取付板３０を上側から前記連結板７の他方のスリット孔３５に傾斜状態で挿入した後（図１０参照）、該裏側支持金具６を立起させながら、前記表側支持金具５を若干持ち上げて、前記裏側支持金具６の上側係止爪２６を前記横ビーム２の裏側の立上片１３に係止して仮保持する（図１１、図１２、図１３（ａ）、図１３（ｂ）参照）。それから、前記表側支持金具５の外側に前記カバー８を配置し、該カバー８の表面板１０の下端に突設した係合片３９を前記スリット孔３５に併設した挿入部３７に上方から落とし込み係合するとともに、前記表面板１０の上部背面に固定した固定片４０を前記表側支持金具５の上板２８に載置し、該固定片４０の通孔４１に上方から挿入したネジ４２を前記上板２８の螺孔２９に螺合して取付ける。この際に、前記カバー８の両側面板１１，１１に突設した前記係合片２７、２７は自動的に前記係止溝１２の開口部１５に密嵌する（図１３（ｃ）参照）。同様に、裏面側においても前記カバー９を取付けて完了する。
【００２８】
本実施形態の配線カバー装置Ｂも、前記連結板７の下面にプロジェクターＰを取付け、その配線コードを前記開口３４を通して、前記表側支持金具５の両側面とカバー８の両側面板１１，１１間に形成される配線空間Ｓ，Ｓを用いて、前記横ビーム２を横切るように配線することができる。また、前記裏側支持金具６の両側面とカバー９の両側面板１１，１１間に形成される配線空間Ｓ，Ｓも同様に配線に利用できる。勿論、前記プロジェクターＰへの配線コードの接続位置が異なれば、前記連結板７の開口３４を利用せずに、直接配線空間Ｓに引き込んで配線することができる。
【符号の説明】
【００２９】
Ａ，Ｂ  配線カバー装置、  Ｐ  プロジェクター、
Ｓ  配線空間、
１  ポスト、              ２  横ビーム、
３  支持金具、            ４  カバー、
５  表側支持金具、        ６  裏側支持金具、
７  連結板、              ８  カバー、
９  カバー、              １０  表面板、
１１  側面板、            １２  係止溝、
１３  立上片、            １４  凹溝、
１５  開口部、            １６  係止縁、
１７  上側係止爪、        １８  下側係止爪、
１９  締付ネジ、          ２０  本体部、
２１  上片、              ２２  側片、
２３  可動部材、          ２４  受片、
２５  コード引出し部、    ２６  上側係止爪、
２７  係合片、            ２８  上板、
２９  螺孔、              ３０  取付板、
３１  通孔、              ３２  基板、
３３  補強縁、            ３４  開口、
３５  スリット孔、        ３６  螺孔、
３７  挿入部、            ３８  ネジ、
３９  係合片、            ４０  固定片、
４１  通孔、              ４２  ネジ。
【図１】
2013121295.tif 000003
【図２】
2013121295.tif 000004
【図３】
2013121295.tif 000005
【図４】
2013121295.tif 000006
【図５】
2013121295.tif 000007
【図６】
2013121295.tif 000008
【図７】
2013121295.tif 000009
【図８】
2013121295.tif 000010
【図９】
2013121295.tif 000011
【図１０】
2013121295.tif 000012
【図１１】
2013121295.tif 000013
【図１２】
2013121295.tif 000014
【図１３】
2013121295.tif 000015